(57)【特許請求の範囲】
【請求項１】
モータ軸に係合したゴムベルトを媒介にしてブラシが植えられたアジテーターを回転させ、移動しながら床を掃除できる吸引口体と、この吸引口体に対する相対角度を変化できるように回動可能に設置され、駆動手段の吸引力によって吸引口体を通って吸引された埃等を集塵できるようにフィルタが設置され、両側面の下部に移動を容易にするように移動手段が設置された本体と、この本体の上部に設置され、使用者が押したり引いて歩けるようになった取っ手部材と、前記の本体に設置されて駆動手段の吸引力によって吸引できるように設置されると共に、前記の吸引口体に挟入して使用でき、また、前記の取っ手部材に掛けて収納できるようになった吸引ホースから成ったアップライト型掃除機において、
前記本体のボディーが、前記両側面の下部において、外側に位置する薄肉部と、前記薄肉部から間隔をあけて内側に配置された厚肉部との２重構造を有し、前記薄肉部のそれぞれの所定箇所に形成された第１貫通孔と、該厚肉部に設けられ、前記第１貫通孔の各々と共に１つの軸上に位置する第２貫通孔とを備え、
前記移動手段が、（ｉ）両端に軸方向に沿う凹凸が形成され、前記第２貫通孔に支えられながら回転可能な状態で該第２貫通孔および前記第１貫通孔の各々を貫通して、前記両端が前記薄肉部から突出する１本の回転軸と、（ii）各々が、片閉じ孔を有し、前記片閉じ孔内面に前記回転軸両端の凹凸に合わせてはめ込まれる軸方向の凹凸を有して該回転軸と共に回転でき、前記片閉じ孔側先端に前記第１貫通孔を通過した後、外側に拡がる弾性フックを有して軸方向への移動が制限される１対の後ろ車輪とを有する構造となっていることを特徴とするアップライト型掃除機。
【発明の詳細な説明】
【０００１】
【発明の属する技術分野】
本発明は、アップライト型掃除機に関し、移動手段を構成する後ろ車輪の構成によって部品数が低減され、組立性も向上するようになったアップライト型掃除機に関する。
【０００２】
【従来の技術】
一般的にアップライト型掃除機は、図１に示すように、モータ軸に係合したゴムベルトを媒介にしてブラシが植えられたアジテーター（ａｇｉｔａｔｏｒ）を回転させ、移動しながら床を掃除できるようになった吸引口体（１０）と、この吸引口体（１０）に対する相対角度を変化できるように回動可能に結合されると共に、駆動手段（図示されず）の吸引力によって吸引口体（１０）を通って吸引された埃等を集塵できるようにフィルタが設置された本体（２０）と、この本体（２０）の上部に設定され使用者が押したり引いて歩けるようになった取っ手部材（３０）と、前記本体（２０）に設置されて駆動手段の吸引力によって吸引できるように設置されると共に、前記吸引口体（１０）に挿入して使用でき、また、前記の取っ手部材（３０）に掛けて収納できるようになった吸引ホース（４０）からなっている。
【０００３】
ここで、前記本体（２０）の一側面の下部には、図２に図示されたような移動手段（５０）が具備されている。この移動手段（５０）は、前記の本体（２０）を構成するボディー（２１）に回転可能に係合された回転軸（５１）と、この回転軸（５１）の両側先端へはめ込んでボディ（２１）の側面に位置したワッシャー（５２）と、このワッシャー（５２）に隣接して前記の回転軸（５１）にはめ込まれ、回転軸（５１）の回りに回転する所定の形状の後ろ車輪（５３）と、この後ろ車輪（５３）が回転軸（５１）から離脱しないように回転軸（５１）の先端に設置された止めリング（５４）からなっている。
【０００４】
したがって、前記ワッシャー（５２）は、後ろ車輪（５３）の側面がボディ（２１）と摩擦するのを防ぎ、前記の止めリング（５４）は後ろ車輪（５３）が回転軸（５１）から抜けるのを防ぎ、前記の取っ手部材（３０）を掴んで掃除するときに前記の移動手段（５０）の後ろ車輪（５３）が容易に回転して、簡単に移動できるように構成されている。
【０００５】
【発明が解決しようとする課題】
しかし、このような移動手段（５０）は、部品数が多く作業工程も多いため、原価上昇の原因となるという欠点があった。
【０００６】
本発明は、前記のような欠点を解決するために、移動手段を構成する後ろ車輪の装備に伴う部品数を低減し、組立性も向上できるアップライト型掃除機を提供するところにその目的がある。
【０００７】
【課題を解決するための手段】
本発明のアップライト型掃除機は、モータ軸に係合したゴムベルトを媒介にしてブラシが植えられたアジテーターを回転させ、移動しながら床を掃除できる吸引口体と、この吸引口体に対する相対角度を変化できるように回動可能に設置され、駆動手段の吸引力によって吸引口体を通って吸引された埃等を集塵できるようにフィルタが設置され、両側面の下部に移動を容易にするように移動手段が設置された本体と、この本体の上部に設置され、使用者が押したり引いて歩けるようになった取っ手部材と、前記の本体に設置されて駆動手段の吸引力によって吸引できるように設置されると共に、前記の吸引口体に挟入して使用でき、また、前記の取っ手部材に掛けて収納できるようになった吸引ホースから成ったアップライト型掃除機において、
前記本体のボディーが、前記両側面の下部において、外側に位置する薄肉部と、前記薄肉部から間隔をあけて内側に配置された厚肉部との２重構造を有し、前記薄肉部のそれぞれの所定箇所に形成された第１貫通孔と、該厚肉部に設けられ、前記第１貫通孔の各々と共に１つの軸上に位置する第２貫通孔とを備え、
前記移動手段が、（i）両端に軸方向に沿う凹凸が形成され、前記第２貫通孔に支えられながら回転可能な状態で該第２貫通孔および前記第１貫通孔の各々を貫通して、前記両端が前記薄肉部から突出する１本の回転軸と、（ii）各々が、片閉じ孔を有し、前記片閉じ孔内面に前記回転軸両端の凹凸に合わせてはめ込まれる軸方向の凹凸を有して該回転軸と共に回転でき、前記片閉じ孔側先端に前記第１貫通孔を通過した後、外側に拡がる弾性フックを有して軸方向への移動が制限される１対の後ろ車輪とを有する構造となっていることを特徴とするアップライト型掃除機ことを特徴とする。
【０００８】
移動手段がボディーに回転可能に支持された回転軸と回転軸に凹凸を利用してはめ込んだ車輪とで構成され、部品数が減ると共に組立性が向上する。
【０００９】
【発明の実施の形態】
以下、本発明の実施例によるアップライト型掃除機を、添付した図面を参照しながら、詳細に説明する。アップライト型掃除機は、図１に示す構成を有する。
【００１０】
図３は、本発明の実施例によって後ろ車輪が設置された状態を表す図２の対応図であり、図４は図３のＢ−Ｂ線断面図である。従来の技術を説明する図１及び図２と同じ部位には同一の参照番号を付け、その説明を省略する。
【００１１】
本発明の実施例によるアップライト型掃除機は、図１に示すように、モータ軸に係合したゴムベルトを媒介にしてブラシが植えられたアジテーターを回転させ、移動しながら床を掃除できる吸引口体（１０）と、この吸引口体（１０）に対する相対角度を変化できるように回動可能に設置され、駆動手段の吸引力によって吸引口体（１０）を通って吸引された埃等を集塵できるようにフィルタが設置され、両側面の下部に移動を容易にするように移動手段（１００）が設置された本体（２０）と、この本体（２０）の上部に設置された使用者が押したり引いて歩けるようになった取っ手部材（３０）と、前記の本体（２０）に設置されて駆動手段の吸引力によって吸引できるように設置されると共に、前記の吸引口体（１０）に挟入して使用でき、また、前記の取っ手部材（３０）に掛けて収納できるようになった吸引ホース（４０）を有する。
【００１２】
このアップライト型掃除機の本体（２０）は、図３に示すように、ボディー（２１）を含みこのボディー（２１）は、本体（２０）の両側面の下部において外側に位置する薄肉部（２１Ｂ）と前記薄肉部（２１Ｂ）それぞれの所定箇所に掲載された第１貫通孔（２１ｂ）と薄肉部（２１Ｂ）から間隔をあけて内側に配置された厚肉部（２１Ａ）と、この厚肉部（２１Ａ）に設けられ、第１貫通孔（２１ｂ）の各々と共に一つの軸上に位置する第２貫通孔（２１ａ）とを有する。前記の移動手段（１００）は、図３に示すように、（ｉ）両端に軸方向に沿う凹凸（１１１）が形成され、第２貫通孔（２１ａ）に支えられながら回転可能な状態で当該第２貫通孔（２１ａ）および第１貫通孔（２１ｂ）の各々を貫通して、前記両端が前記薄肉部から突出する１本の回転軸（１１０）と、（ｉｉ）各々が、第１貫通孔（２１ｂ）にはめ込まれて軸方向への移動が制限されながらも、回転軸（１１０）両端の凹凸（１１１）に合わせて当該回転軸（１１０）の両端それぞれにはめ込まれて回転軸（１１０）と共に回転できるように設けられた所定形状の１対の後ろ車輪（１２０）からなっている。
【００１３】
ここで、前記の後ろ車輪（１２０）は、図４に示すように前記回転軸（１１０）の凹凸（１１１）が挿入されてはめ込まれるように中心軸上に凹凸溝（１２１）が形成された孔部を有している。この孔部は片閉じであり、回転軸の挿入長さは制限される。図３に示すように、この凹凸溝（１２１）が終わるところから、弾力性を備えると共に外側への突起部を有するフック部（１２２）が、前記の第１貫通孔（２１ｂ）に回転可能に、かつ安定に装着されるように形成されている。後ろ車輪（１２０）は、前記の凹凸溝（１２１）が形成された内軸部の外側に、内軸部に連続し、所定の直径を持つ車輪部（１２３）を有する。
【００１４】
次に前記のように構成されたアップライト型掃除機の作用と効果について説明する。
【００１５】
前記取っ手部（３０）を掴んで掃除するとき、前記の移動手段（１００）の後ろ車輪（１２０）と回転軸（１１０）は凹凸で結合されて共に回転するために、移動が自由になる。曲がる時には、一方の後ろ車輪を持ち上げるか、滑らせればよい。
【００１６】
この時掃除機の重さは、後ろ車輪（１２０）と結合した回転軸（１１０）を支える厚肉部２１Ａの第２貫通孔（２１ａ）で全部受けることになり、実質的に前記の後ろ車輪（１２０）のフック部（１２２）には荷重が加えられない。従って、後ろ車輪（１２０）が軸方向へ抜けるのを防ぎながら、移動手段（１００）を長期間安定に使用できるようになる。
【００１７】
以上、本発明の具体的な一つの実施例を詳細に説明したが、本発明はこれに限定されるものではなく、この分野に於いて通常の知識を持つものであれば、本発明の技術的思想に基づいて様々な変更と修正が可能であろう。
【００１８】
【発明の効果】
以上説明したように、本発明によれば、ボディーに回転可能なようにはめ込まれる回転軸とボディーの側面に結合される後ろ車輪だけで移動手段を構成するので、移動手段を構成する後ろ車輪の装備のための部品数が低減されると共に、組立性も向上するという効果がある。
【図面の簡単な説明】
【図１】アップライト型掃除機を表す斜視図である。
【図２】図１のＡ−Ａ線断面図である。
【図３】本発明の実施例によって後ろ車輪が設置された状態を表す図２の対応図である。
【図４】図３のＢ−Ｂ線断面図である。
【符号の説明】
１０    吸引口体
２０    本体
２１    ボディー
２１Ａ    厚肉部
２１Ｂ    薄肉部
２１ａ    第２貫通孔
２１ｂ    第１貫通孔
３０    取っ手部材
４０    吸引ホース
１００    移動手段
１１０    回転軸
１１１    凹凸
１２０    後ろ車輪
１２１    凹凸溝
【図１】
0003610213.tif 000002
【図２】
0003610213.tif 000003
【図３】
0003610213.tif 000004
【図４】
0003610213.tif 000005